(57)【特許請求の範囲】
【請求項１】
開口部を有する外箱と、
上記外箱に回動可能に取り付けられ、上記開口部を開閉するドアと、
上記ドアに回動可能に支持されたツメ部と、
上記外箱の上記開口部の周縁部に設けられ、上記ツメ部を解除可能に係止する係止部と、
上記ツメ部を回動させて、ドアロックを上記ツメ部が上記係止部に係止されたロック状態と、上記ツメ部の上記係止部に対する係止が解除されたアンロック状態とに切り替え可能なドアロック機構と、
を備え、
上記ツメ部が、上記ツメ部の上記係止部に対する係止力が上記ツメ部の回動位置に応じて変化するように設けられており、
上記ドアロック機構が、上記ツメ部を複数の回動位置で保持するように設けられていることを特徴とする衣類処理装置。
【請求項２】
請求項１に記載の衣類処理装置において
上記ドアロック機構がモータを有し、
上記ツメ部の回動および所定の回動位置での保持が、上記モータを制御することにより行われることを特徴とする衣類処理装置。
【請求項３】
請求項１に記載の衣類処理装置において、
上記ドアに設けられ、操作により上記ツメ部を回動させる操作部をさらに備え、
上記ドアロック機構が、
上記ドアにより上記開口部が閉じられた状態で上記ツメ部が上記係止部に係止するように、上記ツメ部を付勢するバネ部と、
上記ツメ部を複数の回動位置で保持可能なスイッチと、
を有することを特徴とする衣類処理装置。
【請求項４】
請求項１に記載の衣類処理装置において、
上記ドアに設けられ、操作により上記ツメ部を回動させる操作部をさらに備え、
上記ドアロック機構が、
上記ドアにより上記開口部が閉じられた状態で上記ツメ部が上記係止部に係止するように、上記ツメ部を付勢するバネ部と、
ドアロックを少なくとも上記アンロック状態で保持可能なラッチ機構をさらに有することを特徴とする衣類処理装置。
【請求項５】
請求項１から４のいずれか１つに記載の衣類処理装置において、
上記ドアロック機構が、上記ドアに設けられていることを特徴とする衣類処理装置。
【発明の詳細な説明】
【技術分野】
【０００１】
この発明は、衣類処理装置に関する。
【背景技術】
【０００２】
特許文献１に開示されている衣類処理装置は、開口部が形成された筺体と、開口部を閉塞する閉塞位置と開口部を開放する開放位置との間で回動する扉体と、扉体を閉塞位置でロックするロック機構とを備えている。そして、扉体には取手部が設けられており、扉体が閉塞位置から開放位置に回動するときの取手部の動きに連動して、閉塞位置における扉体に対するロックが、ロック機構によって解除されるようになっている。
【先行技術文献】
【特許文献】
【０００３】
【特許文献１】特許５５９２１７９号公報
【発明の概要】
【発明が解決しようとする課題】
【０００４】
しかし、上記衣類処理装置では、扉体を閉塞位置でロックするか否かの設定しかできないため、衣類処理装置の使用状況によっては、その安全性と利便性を両立させることができない場合がある。
【０００５】
例えば、上記衣類処理装置では、洗濯運転中あるいは乾燥運転中に、扉体が開かないようにロック機構により扉体をロックすると、運転停止状態であっても取手部を操作してロック機構を解除しなければ扉体を開放することができない。この場合、衣類処理装置の安全性を確保することはできるが、利便性は悪くなる。
【０００６】
そこで、本発明の課題は、使用状況に応じて、安全性と利便性を両立可能な衣類処理装置を提供することにある。
【課題を解決するための手段】
【０００７】
上記課題を解決するため、本発明の衣類処理装置は、
開口部を有する外箱と、
上記外箱に回動可能に取り付けられ、上記開口部を開閉するドアと、
上記ドアに回動可能に支持されたツメ部と、
上記外箱の上記開口部の周縁部に設けられ、上記ツメ部を解除可能に係止する係止部と、
上記ツメ部を回動させて、上記ツメ部が上記係止部に係止されたロック状態と、上記ツメ部の上記係止部に対する係止が解除されたアンロック状態とに切り替え可能なドアロック機構と、
を備え、
上記ツメ部が、上記ツメ部の上記係止部に対する係止力が上記ツメ部の回動位置に応じて変化するように設けられており、
上記ドアロック機構が、上記ツメ部を複数の回動位置で保持するように設けられていることを特徴としている。
【発明の効果】
【０００８】
本発明によれば、回動位置に応じて係止力が変化するツメ部を複数の回動位置で保持できる。これにより、ドアの保持力を容易に変更できるので、使用状況に応じて、衣類処理装置の安全性と利便性の両立を図ることができる。
【図面の簡単な説明】
【０００９】
【図１】本発明の第１実施形態の衣類処理装置の一例としてのドラム式洗濯乾燥機の斜視図である。
【図２】図１のドラム式洗濯乾燥機のドアを開けた状態の斜視図である。
【図３】図１のドラム式洗濯乾燥機のドアの裏面図である。
【図４】図１のドラム式洗濯乾燥機のドアの押さえ部材を外した状態の裏面図である。
【図５】図４の拡大図である。
【図６】図１のドラム式洗濯乾燥機のブロック図である。
【図７】図１のドラム式洗濯乾燥機の完全ロック状態を示す図１のＡ−Ａ線に沿った断面図である。
【図８】図１のドラム式洗濯乾燥機の不完全ロック状態を示す図１のＡ−Ａ線に沿った断面図である。
【図９】図１のドラム式洗濯乾燥機のアンロック状態を示す図１のＡ−Ａ線に沿った断面図である。
【図１０】本発明の第２実施形態のドラム式洗濯乾燥機のドアの押さえ部材を外した状態の裏面図である。
【図１１】図１０のドラム式洗濯乾燥機のアンロック状態を示す拡大図である。
【図１２】図１０のドラム式洗濯乾燥機の不完全ロック状態を示す拡大図である。
【図１３】図１０のドラム式洗濯乾燥機の完全ロック状態を示す拡大図である。
【図１４】本発明の第３実施形態のドラム式洗濯乾燥機のドアの押さえ部材を外した状態の裏面図である。
【図１５】図１４のドラム式洗濯乾燥機のラッチ機構を説明するための図である。
【図１６】図１５に続く、図１４のドラム式洗濯乾燥機のラッチ機構を説明するための図である。
【図１７】図１６に続く、図１４のドラム式洗濯乾燥機のラッチ機構を説明するための図である。
【図１８】図１７に続く、図１４のドラム式洗濯乾燥機のラッチ機構を説明するための図である。
【発明を実施するための形態】
【００１０】
以下、本発明を図示の実施形態により詳細に説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１１】
（第１実施形態）
第１実施形態のドラム式洗濯乾燥機は、図１に示すように、前面に開口部４を有する外箱１と、開口部４(図２に示す)を開閉する円盤形状のドア２と、外箱１内に配置された洗濯槽(図示せず)と、その洗濯槽内に回動可能に配置された回転ドラム３(図２に示す)とを備える。
【００１２】
外箱１の前面の右上側には、運転動作を選択して指示入力すると共に運転状態を表示する操作パネル６を設けている。また、外箱１の前面の左上側には、洗剤ケース６１を装着し、外箱１の前面の左下側に糸くずフィルタ装置６２を装着している。
【００１３】
外箱１の天面の左後側には、給水ホース接続口７と風呂水吸水口８とを設けている。また、外箱１の天面の右後側には、乾燥フィルタ装置９を装着している。
【００１４】
外箱１の一方の側面には、排水ホース接続口６３が設けられている。また、ドア２の外縁側には、ドアハンドル１０が取り付けられている。
【００１５】
図２に示すように、ドア２が、ドア取付金具２０と外箱１側のヒンジ部３０とを介して、外箱１の開口部４に取り付けられている。ヒンジ部３０は、外箱１の開口部４の左側に設けられ、ドア２を回動可能に支持している。なお、外箱１の開口部４の内縁側には、環状の枠部材５が取り付けられている。
【００１６】
ドア２の外縁側かつドアハンドル１０の下側には、ツメ部１１が設けられている。このツメ部１１は、ドア２に回動可能に支持されている。また、外箱１の開口部４の右側には、係止ユニット４０が設けられている。
【００１７】
なお、ヒンジ部３０を外箱１の開口部４の右側に設け、係止ユニット４０を外箱１の開口部４の左側に設けてもよい。
【００１８】
外箱１内に配置された洗濯槽(図示せず)および回転ドラム３は、外箱１の前面側に開口を有し、外箱１の開口部４を介して回転ドラム３内に洗濯物(図示せず)を出し入れできるようになっている。また、洗濯槽は、ドア２により開口部４を閉じた状態にすることで、水密および気密が保たれるように設けられている。
【００１９】
また、上記ドラム式洗濯乾燥機は、外箱１内の背面側下部に配置された乾燥用のヒートポンプユニット９２(図６に示す)と、このヒートポンプユニット９２を介して洗濯槽内の空気を循環させるための循環経路（図示せず）とを備えている。
【００２０】
上記ドラム式洗濯乾燥機では、ユーザが、操作パネル６を介して、運転コースあるいは各工程の時間などを設定し入力すると、制御装置１００(図６に示す)が、設定された情報に基づいて、例えば洗濯から乾燥までの一連の動作を実行する。
【００２１】
ドア２は、図３に示すように、環状の支持枠２１と、この環状の支持枠２１の内側に取り付けられた円錐台形状のガラス製の窓部材２２と、環状の支持枠２１の正面視右側(図３では左側)に取り付けられたカバー部材２３と、環状の支持枠２１の正面視左側(図３では右側)に取り付けられた接続部材２４と、環状の支持枠２１の裏面側に取り付けられた環状の押さえ部材２５とを有している。接続部材２４には、図２に示すドア取付金具２０を介してヒンジ部３０が接続されている。
【００２２】
環状の支持枠２１の正面視右側(図３では左側)には、ドアハンドル１０とツメ部１１とが設けられている。ドアハンドル１０は、ドア２に固定されている。また、ツメ部１１は、後述する外箱１の係止部４１ａ（図２に示す）に係止可能な位置に、ドア２の裏面から突出するように設けられている。
【００２３】
図４，図５に示すように、環状の支持枠２１の裏面のドアハンドル１０の下側には、ツメ部１１を回動可能に支持している軸１４と、ドアハンドル１０と軸１４の間に配置されたドアロックモータ５０とが設けられている。ドアロックモータ５０は、連結部５０ａを介して軸１４の一端に連結されている。なお、ドアロックモータ５０と連結部５０ａとでドアロック機構を構成している。
【００２４】
図６に示すように、ツメ部１１は、軸１４を中心に回動可能に支持されている基部１１ａと、この基部１１ａから係止ユニット４０に向かって延びるアーム部１１ｂと、このアーム部１１ｂの先端から径方向外側に向かって屈曲する鉤部１１ｃとを有している。この鉤部１１ｃの先端には、湾曲面１１ｄが設けられている。
【００２５】
また、鉤部１１ｃには、摺接面１１ｅが設けられている。この摺接面１１ｅは、平坦面であり、ツメ部１１が係止部４１ａに係止するときに、係止部４１ａと接触し、その接触面積が、ツメ部１１の回動位置に応じて変化するように配置されている。すなわち、ツメ部１１の係止部４１ａに対する係止は、摺接面１１ｅを介して行われる。
【００２６】
なお、ツメ部１１は、図６に示す位置（以下、ロック位置という）と、図９に示す位置（以下、アンロック位置という）との間で回動する。ツメ部１１の係止部４１ａに対する係止力は、ツメ部１１がロック位置に位置しているときが最も高く、ロック位置からアンロック位置に回動するに従って低くなり、アンロック位置でゼロになる。すなわち、ツメ部１１の係止部４１ａに対する係止力は、ツメ部１１の回動位置に応じて変化するようになっている。
【００２７】
また、図６に示すように、係止ユニット４０は、ハウジング４１と、このハウジング４１内に収納されたスライド部４２とで構成されている。
【００２８】
ハウジング４１は、ドア２を閉じた状態でツメ部１１に対向する箇所に、挿入口４３が設けられている。また、この挿入口４３の径方向外側の縁部分に係止部４１ａが設けられ、係止部４１ａの挿入口４３の縁に、テーパー面４１ｂが設けられている。係止部４１ａは、ドア２により開口部４が閉じられた状態でツメ部１１を係止できるように形成されている。
【００２９】
スライド部４２は、ハウジング４１内で、ドア２の径方向(図６の左右方向)に沿ってスライド可能に収納されている。このスライド部４２には、ツメ部１１の鉤部１１ｃが没入する凹部４２ａが設けられている。
【００３０】
ドア２を閉じていくと、ツメ部１１の鉤部１１ｃの湾曲面１１ｄが、ハウジング４１のテーパー面４１ｂに当接し、径方向内側(図１０の左方向)に向かって押される。これにより、ツメ部１１が反時計回りに回動し、スライド部４２の凹部４２ａ内にツメ部１１の鉤部１１ｃが没入するようになっている。
【００３１】
図６に示すように、制御装置１００は、演算等を行うＣＰＵ、洗濯／乾燥運転の実行等に必要なプログラムあるいはデータ等を記憶しておくＲＯＭおよびＲＡＭ等を備えており、操作パネル６、および、各種センサ９１からの信号に基づいて、操作パネル６、ヒートポンプユニット９２、駆動ユニット９３、給水弁９４、および、ドアロックモータ５０等を制御する。
【００３２】
また、制御装置１００には、モータ制御部の一例のドアロックモータ制御部１０１が設けられている。このドアロックモータ制御部１０１は、操作パネル６、および、温度センサ、扉開閉センサ、重量センサ等の各種センサ９１からの信号等に基づいて上記ドラム式洗濯乾燥機の使用状況を判定すると共に、判定された使用状況に応じてドアロックモータ５０を制御し、ツメ部１１を所定の回動位置で保持する。
【００３３】
例えば、洗濯／乾燥運転が行われている場合、ドアロックモータ制御部１０１は、ドアロックモータ５０を制御して、ツメ部１１を図６に示すロック位置に回動させて、ドアロックをロック状態にする。ツメ部１１は、ドアロックモータ制御部１０１によって、洗濯／乾燥運転が停止するまでロック位置で保持される。このロック位置では、ツメ部１１の摺接面１１ｅの全体が係止部４１ａと接触した状態で、ツメ部１１が係止部４１ａに係止される。
【００３４】
また、洗濯／乾燥運転が行われていないが、回転ドラム３内に洗濯物が投入されている場合、ドアロックモータ制御部１０１は、ドアロックモータ５０を制御して、ツメ部１１を図８に示す位置（以下、中間ロック位置という）に回動させて、ドアロックを中間ロック状態にする。ツメ部１１は、ドアロックモータ制御部１０１によって、洗濯／乾燥運転が行われるか、回転ドラム３内の洗濯物が取り出されるまで、中間ロック位置で保持される。この中間ロック位置では、ツメ部１１の摺接面１１ｅの一部が係止部４１ａと接触した状態で、ツメ部１１が係止部４１ａに係止される。
【００３５】
また、洗濯／乾燥運転が行われておらず、また、回転ドラム３内に洗濯物も投入されていない場合、ドアロックモータ制御部１０１は、ドアロックモータ５０を制御して、ツメ部１１を図９に示すアンロック位置に回動させて、ドアロックをアンロック状態にする。ツメ部１１は、ドアロックモータ制御部１０１によって、回転ドラム３内に洗濯物が投入され、ドア２が閉じられるまで、図９に示す位置で保持される。
【００３６】
なお、ドアロックモータ制御部１０１は、制御装置１００が所定のプログラムを実行することにより実現される機能である。
【００３７】
このように、上記ドラム式洗濯乾燥機によれば、回動位置に応じて係止力が変化するツメ部１１を複数の回動位置で保持できる。これにより、ドア２の保持力を容易に変更できるので、使用状況に応じて、ドラム式洗濯乾燥機の安全性と利便性の両立を図ることができる。
【００３８】
また、ツメ部１１の回動および保持がドアロックモータ５０の制御により行われるので、ツメ部１１の回動位置の変更が容易になる。このため、ドア２の保持力を容易に変更することができ、ドラム式洗濯乾燥機の利便性を向上させることができる。
【００３９】
さらに、ドアロックモータ制御部１０１によって、ツメ部１１がドラム式洗濯乾燥機の使用状況に応じた回動位置で保持されるように、ドアロックモータ５０が制御される。このため、特別な操作を行うことなく、ドラム式洗濯乾燥機の使用状況に応じてドアの保持力を変更することができ、ドラム式洗濯乾燥機の利便性を向上させることができる。
【００４０】
また、ドアロックモータ５０をドア２に設けているので、ドアロックモータ５０を組み込むためのスペースに対する制限が、外箱１の内部に設ける場合と比べて少なくなる。このため、ドラム式洗濯乾燥機の設計の自由度を高めることができる。
【００４１】
なお、ドアロック機構は、ドアロックモータ５０と連結部１０ｃとで構成する場合に限らず、ツメ部を電動で回動させて、ドアロックをロック状態またはアンロック状態にすることができるものであれば、任意の構造を採用することができる。
【００４２】
また、ドアロックモータ５０は、ドアロックモータ制御部１０１により制御される場合に限らない。例えば、ドアロックモータをオンオフするための機械的なスイッチを設けて、このスイッチによりドアロックモータを制御してもよい。
【００４３】
（第２実施形態）
本発明の第２実施形態の衣類処理装置の一例のドラム式洗濯乾燥機は、図１０に示すように、操作部の一例のドアハンドル１０が回動可能に設けられ、その回動操作によりツメ部１１が回動すると共に、ツメ部１１が係止部４１ａに係止するように付勢するバネ部の一例の第２コイルバネ１６と、ツメ部１１を複数の回動位置で保持可能なスイッチ５１とで、ドアロック機構を構成している点で、第１実施形態のドラム式洗濯乾燥機と異なっている。
【００４４】
なお、この第２実施形態では、第１実施形態と同一部分に同一参照番号を付して説明を省略し、第１実施形態と異なる点について説明する。
【００４５】
図１０に示すように、第２実施形態のドラム式洗濯乾燥機では、ドアハンドル１０が、周方向に突出する軸部１０ａと、この軸部１０ａよりも径方向内側に設けられたアーム１０ｃとを有している。また、環状の支持枠２１の裏面には、軸受部１２が設けられており、ドアハンドル１０の軸部１０ａが軸Ｚを中心に回動可能に支持されている。
【００４６】
環状の支持枠２１の裏面のドアハンドル１０の下側には、シーソー部１３が傾動可能に設けられている。このシーソー部１３は、その一端がドアハンドル１０の下側のアーム１０ｃに、他端がツメ部１１の基部１１ａに位置するように配置されている。また、シーソー部１３の長手方向の略中央には、シーソー部１３を付勢する第２コイルバネ１６が設けられている。この第２コイルバネ１６の付勢力により、シーソー部１３は、下側の端部が環状の支持枠２１の裏面から離間する方向に押し上げられ、上側の端部が下側のアーム１０ｃを押圧する方向に押し下げられている。
【００４７】
また、ツメ部１１を支持する軸１４には、第１コイルバネ１５が巻き付けられている。この第１コイルバネ１５によりツメ部１１が径方向外側に向かって付勢され、ツメ部１１の係止部４１ａに対する係止が行われるようになっている。また、ドアハンドル１０を操作していない状態では、ツメ部１１は、第１コイルバネ１５の付勢力により図６に示すロック位置で保持される。
【００４８】
ドアハンドル１０を操作する（図１０の紙面に垂直な方向の下向きに引く）と、ドアハンドル１０の下側のアーム１０ｃが環状の支持枠２１の裏面から離間して、シーソー部１３の上側の端部を持ち上げる。これにより、シーソー部１３の下側の端部がツメ部１１の基部１１ａを押さえつけ、ロック位置にあるツメ部１１が、第１コイルバネ１５の付勢力に抗して図９に示すアンロック位置まで回動する。これにより、ツメ部１１の係止部４１ａに対する係止が解除されるようになっている。
【００４９】
シーソー部１３の径方向外側には、スイッチ５１が設けられている。このスイッチ５１は、その一部が環状の支持枠２１から径方向外側に突出すると共に、径方向内側に突出するツメ受部５２が設けられている。このツメ受部５２は、環状の支持枠２１の裏面から見て、スイッチ５１の周方向（図１０の上下方向）の略中央から上端に向かって傾斜する傾斜面を有している。
【００５０】
また、このスイッチ５１は、周方向に沿ってスライド移動可能であると共に、スライド移動可能範囲の上限位置（図１１に示す）、中間位置（図１２に示す）、および、下限位置（図１３に示す）で保持され、第１コイルバネ１５の付勢力よりも大きい力を加えなければ移動しないように設けられている。
【００５１】
スイッチ５１が上限位置にある場合、図１１に示すように、ツメ部１１を回動させても、スイッチ５１とツメ部１１とが接触することがない。すなわち、ドアハンドル１０を操作して、ツメ部１１をアンロック位置に回動させた状態で、スイッチ５１を上限位置から変更することなく、ドアハンドル１０の操作を解除すると、ツメ部１１は、第１コイルバネ１５の付勢力によってロック位置まで回動し、ロック位置で保持される。
【００５２】
スイッチ５１が中間位置にある場合、図１２に示すように、スイッチ５１のツメ受部５２の周方向の下側部分とツメ部１１の基部１１ａとが接触し、ツメ部１１の回動が規制される。すなわち、ドアハンドル１０を操作して、ツメ部１１をアンロック位置に回動させ、スイッチ５１を上限位置から中間位置に移動させた状態で、ドアハンドル１０の操作を解除すると、ツメ部１１は、第２コイルバネ１６の付勢力によってロック位置に向かって回動し、図８に示す中間ロック位置でスイッチ５１のツメ受部５２と接触し、回動を停止する。中間位置にあるスイッチ５１は第１コイルバネ１５の付勢力では移動しないため、ツメ部１１が、中間ロック位置で保持される。
【００５３】
スイッチ５１が下限位置にある場合、図１３に示すように、スイッチ５１のツメ受部５２の周方向の上側部分とツメ部１１の基部１１ａとが接触し、ツメ部１１の回動範囲が規制される。すなわち、ドアハンドル１０を操作して、ツメ部１１をアンロック位置に回動させた状態で、スイッチ５１を上限位置または中間位置から上限位置に移動させた状態で、ドアハンドル１０の操作を解除すると、ツメ部１１は、図９に示す中間ロック位置でスイッチ５１のツメ受部５２に接触するため、回動することができない。アンロック位置にあるスイッチ５１は第１コイルバネ１５の付勢力では移動しないため、ツメ部１１が、アンロック位置で保持される。
【００５４】
このように、ツメ部１１の回動位置がスイッチ５１により調節されるので、例えば、ドアロック機構が浸水したとしても、正常にドアロックをロック状態あるいはアンロック状態に切り替えることができる。このため、ドラム式洗濯乾燥機の安全性を向上させることができる。
【００５５】
なお、スイッチ５１は、第２実施形態に限らず、ツメ部１１を複数の回動位置で保持できるものであれば、任意の形状および構造を採用することができる。
【００５６】
（第３実施形態）
本発明の第３実施形態の衣類処理装置の一例のドラム式洗濯乾燥機は、図１４に示すように、ドアロック機構を第１コイルバネ１５と、ツメ部１１をアンロック状態で保持可能なラッチ機構とで構成している点で、第２実施形態のドラム式洗濯乾燥機と異なっている。
【００５７】
なお、この第３実施形態では、第１，第２実施形態と同一部分に同一参照番号を付して説明を省略し、第２実施形態と異なる点について説明する。
【００５８】
図１４に示すように、第３実施形態のドラム式洗濯乾燥機では、ツメ部１１の基部１１ａの軸１４方向の面に設けられた摺動溝部７１と、この摺動溝部７１内をスライド移動可能に配置され、ツメ部１１の基部１１ａの軸１４方向の面から突出しているラッチ軸部７２と、ラッチ軸部７２を覆うカバー８０とが設けられている。また、カバー８０には、ラッチ軸部７２の先端が挿入されるラッチ溝部８１（図１８に示す）が設けられている。
【００５９】
なお、摺動溝部７１、ラッチ軸部７２、および、ラッチ溝部８１で、ラッチ機構を構成している。
【００６０】
続いて、図１４〜図１８を参照して、ラッチ機構の動作について説明する。
【００６１】
ドアハンドル１０の操作が行われていない状態では、ツメ部１１は、図１４に示すように、ロック位置に位置しており、ラッチ軸部７２は、図１８に示すラッチ溝部８１の“IV”で示す位置に位置している。
【００６２】
図１５に示すように、ドアハンドル１０を操作して、ツメ部１１をアンロック位置まで回動させると、ラッチ軸部７２が、図１８に示すラッチ溝部８１の“IV”で示す位置から“Ｉ”で示す位置に移動する。
【００６３】
ツメ部１１が図１５に示すアンロック位置にある状態で、ドアハンドル１０の操作を解除すると、ラッチ軸部７２が、図１８に示すラッチ溝部８１の“Ｉ”で示す位置から“II”で示す位置に移動する。ラッチ軸部７２が“II”で示す位置に位置している状態では、ツメ部１１は、ラッチ溝部８１の形状により、ロック位置に向かって回動できないようになっている。すなわち、ドアハンドル１０を操作してツメ部１１をロック位置からアンロック位置に回動させた後、ドアハンドル１０の操作を解除すると、ツメ部１１は、図１６に示すように、アンロック位置で保持される。
【００６４】
ツメ部１１が図１６に示すアンロック位置で保持されている状態で、ドアハンドル１０を操作すると、ツメ部１１は、図１７に示すように、アンロック位置よりも径方向内側（図１７の左側）の位置（以下、保持解除位置という）まで回動し、アンロック位置での保持が解除される。このとき、ラッチ軸部７２は、図１８に示すラッチ溝部８１の“II”で示す位置から“III”で示す位置に移動する。
【００６５】
ツメ部１１が図１７に示す保持解除位置にある状態で、ドアハンドル１０の操作を解除すると、ラッチ軸部７２が、図１８に示すラッチ溝部８１の“III”で示す位置から“IV”で示す位置に移動し、ツメ部１１が、保持解除位置からロック位置に回動する。
【００６６】
このように、ラッチ機構を用いることで、簡単な構成で、ツメ部１１をアンロック位置で保持できるので、ドアロックをアンロック状態で保持できる。
【００６７】
なお、ラッチ機構は、第３実施形態に限らず、ドアロックをアンロック状態で保持できるものであれば、任意の形状および構造を採用することができる。
【００６８】
（その他の実施形態）
第１〜第３実施形態では、衣類処理装置としてのドラム式洗濯乾燥機について説明したが、これに限らず、ドラム式洗濯機やドラム式乾燥機あるいはドラム式でない構成の洗濯機や乾燥機などの衣類処理装置にこの発明を適用してもよい。
【００６９】
本発明および実施形態を纏めると、次のようになる。
【００７０】
本発明の衣類処理装置は、
開口部４を有する外箱１と、
上記外箱１に回動可能に取り付けられ、上記開口部４を開閉するドア２と、
上記ドア２に回動可能に支持されたツメ部１１と、
上記外箱１の上記開口部４の周縁部に設けられ、上記ツメ部１１を解除可能に係止する係止部４１ａと、
上記ツメ部１１を回動させて、ドアロックを上記ツメ部１１が上記係止部４１ａに係止されたロック状態と、上記ツメ部１１の上記係止部４１ａに対する係止が解除されたアンロック状態とに切り替え可能なドアロック機構と、
を備え、
上記ツメ部１１が、上記ツメ部１１の上記係止部４１ａに対する係止力が上記ツメ部１１の回動位置に応じて変化するように設けられており、
上記ドアロック機構が、上記ツメ部１１を複数の回動位置で保持するように設けられていることを特徴としている。
【００７１】
本発明の衣類処理装置によれば、回動位置に応じて係止力が変化するツメ部１１を複数の回動位置で保持できる。これにより、ドア２の保持力を容易に変更できるので、使用状況に応じて、衣類処理装置の安全性と利便性の両立を図ることができる。
【００７２】
また、一実施形態の衣類処理装置では、
上記ドアロック機構がモータ５０を有し、
上記ツメ部１１の回動および所定の回動位置での保持が、上記モータ５０を制御することにより行われる。
【００７３】
上記実施形態によれば、ツメ部１１の回動および保持がモータ５０の制御により行われるので、ツメ部１１の回動位置の変更および調節が容易になる。このため、ドア２の保持力を容易に変更および調節することができ、衣類処理装置の利便性を向上させることができる。
【００７４】
また、一実施形態の衣類処理装置では、
使用状況に応じた所定の回動位置で上記ツメ部１１が保持されるように、上記モータ５０を制御するモータ制御部１０１をさらに備えている。
【００７５】
上記実施形態によれば、モータ制御部１０１によって、ツメ部１１が衣類処理装置の使用状況に応じた回動位置で保持されるように、モータ５０が制御される。このため、特別な操作を行うことなく、衣類処理装置の使用状況に応じてドア２の保持力を変更することができ、衣類処理装置の利便性を向上させることができる。
【００７６】
また、一実施形態の衣類処理装置では、
上記ドア２に設けられ、操作により上記ツメ部１１を回動させる操作部１０をさらに備え、
上記ドアロック機構が、
上記ドア２により上記開口部４が閉じられた状態で上記ツメ部１１が上記係止部４１ａに係止するように、上記ツメ部１１を付勢するバネ部１５と、
上記ツメ部１１を複数の回動位置で保持可能なスイッチ５１と、
を有する。
【００７７】
上記実施形態によれば、ツメ部１１の回動位置がスイッチ５１により調節されるので、例えば、ドアロック機構が浸水したとしても、正常にドアロックをロック状態あるいはアンロック状態に切り替えることができる。このため、衣類処理装置の安全性を向上させることができる。
【００７８】
また、一実施形態の衣類処理装置では、
上記ドア２に設けられ、操作により上記ツメ部１１を回動させる操作部１０をさらに備え、
上記ドアロック機構が、
上記ドア２により上記開口部４が閉じられた状態で上記ツメ部１１が上記係止部４１ａに係止するように、上記ツメ部１１を付勢するバネ部１５と、
ドアロックを少なくとも上記アンロック状態で保持可能なラッチ機構をさらに有する。
【００７９】
上記実施形態によれば、簡単な構成で、ドアロックをアンロック状態で保持できる。
【００８０】
また、一実施形態の衣類処理装置では、
上記ドアロック機構が、上記ドアに設けられている。
【００８１】
上記実施形態によれば、ドアロック機構を組み込むためのスペースに対する制限が、外箱１の内部に設ける場合と比べて少なくなる。このため、衣類処理装置の設計の自由度を高めることができる。
【００８２】
上記実施形態で述べた構成要素は、適宜、組み合わせてもよく、また、適宜、選択、置換、あるいは、削除してもよいのは、勿論である。
【符号の説明】
【００８３】
１  外箱
２  ドア
３  回転ドラム
４  開口部
５  環状の枠部材
６  操作パネル
７  給水ホース接続口
８  風呂水吸水口
９  乾燥フィルタ装置
１０  ドアハンドル
１０ａ  軸部
１１  ツメ部
１１ａ  基部
１１ｂ  アーム部
１１ｃ  鉤部
１１ｄ  湾曲面
１１ｅ  摺接面
１２  軸受部
１３  シーソー部
１４  軸
１５  第１コイルバネ
１６  第２コイルバネ
２０  ドア取付金具
２１  環状の支持枠
２２  窓部材
２３  カバー部材
２４  接続部材
２５  環状の押さえ部材
２６  前面カバー
３０  ヒンジ部
４０  係止ユニット
４１  ハウジング
４１ａ  係止部
４１ｂ  テーパー面
４２  スライド部
４２ａ  凹部
４３  挿入口
５０  ドアロックモータ
５０ａ  連結部
５１  スイッチ
５２  ツメ受部
６１  洗剤ケース
６２  糸くずフィルタ装置
６３  排水ホース接続口
７１  摺動溝部
７２  ラッチ軸部
８０  カバー
８１  ラッチ軸部
９１  センサ
９２  ヒートポンプユニット
９３  駆動ユニット
９４  給水弁
１００  制御装置
１０１  ドアロックモータ制御部
【図１】
0006568814.tif 000002
【図２】
0006568814.tif 000003
【図３】
0006568814.tif 000004
【図４】
0006568814.tif 000005
【図５】
0006568814.tif 000006
【図６】
0006568814.tif 000007
【図７】
0006568814.tif 000008
【図８】
0006568814.tif 000009
【図９】
0006568814.tif 000010
【図１０】
0006568814.tif 000011
【図１１】
0006568814.tif 000012
【図１２】
0006568814.tif 000013
【図１３】
0006568814.tif 000014
【図１４】
0006568814.tif 000015
【図１５】
0006568814.tif 000016
【図１６】
0006568814.tif 000017
【図１７】
0006568814.tif 000018
【図１８】
0006568814.tif 000019